(57)【特許請求の範囲】
【請求項１】
第１設定画面と、第２設定画面と、第３設定画面と、第４設定画面とを表示する表示部と、
前記表示部に前記第１設定画面が表示されているときに、第１設定情報を設定するためのユーザ操作を受け付け、前記表示部に前記第２設定画面が表示されているときに、第２設定情報を設定するためのユーザ操作を受け付け、前記表示部に前記第３設定画面が表示されているときに、第３設定情報を設定するためのユーザ操作を受け付け、前記表示部に前記第４設定画面が表示されているときに、第４設定情報を設定するためのユーザ操作を受け付ける入力部と、
前記第１設定情報と、前記第２設定情報と、前記第３設定情報と、前記第４設定情報とを記憶する記憶部と、
前記入力部が前記第１設定情報を設定するためのユーザ操作を受け付けた後、前記第２設定画面を前記表示部に表示させ、前記入力部が前記第２設定情報を設定するためのユーザ操作を受け付けた後、前記第３設定画面を前記表示部に表示させ、前記入力部が前記第３設定情報を設定するためのユーザ操作を受け付けた後、前記第４設定画面を前記表示部に表示させる制御部と、
を備え、
前記制御部は、
前記第１設定情報を設定するためのユーザ操作および前記第２設定情報を設定するためのユーザ操作の受け付けが完了した後、前記第１設定情報と前記第２設定情報とを前記記憶部に記憶させ、
前記第３設定情報を設定するためのユーザ操作および前記第４設定情報を設定するためのユーザ操作の受け付けが完了した後、前記第３設定情報と前記第４設定情報とを前記記憶部に記憶させ、
前記表示部は、
前記第１設定画面と前記第２設定画面とを含む第１設定画面群へのリンクと、前記第３設定画面と前記第４設定画面とを含む第２設定画面群へのリンクとを含むリンク画面を表示し、
前記制御部は、
前記入力部が前記第１設定画面群へのリンクを指定する旨のユーザ操作を受け付けた場合、前記表示部に前記第１設定画面を表示させ、
前記入力部が前記第２設定画面群へのリンクを指定する旨のユーザ操作を受け付けた場合、前記表示部に前記第３設定画面を表示させ、
前記リンク画面は、機能の名称と、前記機能の名称を列挙した一覧と、前記機能の説明文字列と、前記機能のそれぞれの設定情報の名称とを表示し、前記一覧に表示された機能の名称を選択する選択手段と、前記選択手段で選択されている前記機能の設定画面に遷移させる入力手段と、
を有することを特徴とする情報処理装置。
【請求項２】
請求項１に記載の情報処理装置において、
前記第１設定画面と前記第２設定画面とは、第１の機能に関する設定画面であり、
前記第３設定画面と前記第４設定画面とは、第２の機能に関する設定画面であることを特徴とする情報処理装置。
【請求項３】
請求項２に記載の情報処理装置において、
前記第１の機能は、ネットワーク設定であり、
前記第２の機能は、電子メール設定であることを特徴とする情報処理装置。
【請求項４】
請求項１から請求項３のいずれか１項に記載の情報処理装置において、
前記設定画面は、前記機能の名称と、前記設定情報の名称と、前記設定情報の順序を表す番号とを表示し、前記リンク画面へ戻る入力手段を有することを特徴とする情報処理装置。
【発明の詳細な説明】
【技術分野】
【０００１】
本発明は、設定情報を有する情報処理装置に関する。
【背景技術】
【０００２】
従来の情報処理装置は、操作ガイダンスの概要を表示した後、さらに詳細な操作ガイダンスを表示するかどうかを選択可能にしている（例えば、特許文献１参照）。
また、設定情報を制御部に設けられた不揮発性メモリに記憶するようにし、その設定情報を操作部で選択、入力することにより設定でき、また画像を形成するための設定を行う制御部としてのコントローラ部と、画像形成要素を駆動する印刷部としてのエンジン部とを有し、コントローラ部でエンジン部に関する設定を行うようにしているものがある。
【０００３】
さらに、印刷部に関連する設定情報以外にも、時計、ファクシミリ通信、ネットワーク等に関連する設定情報を設定することができるようになっており、使用者は情報処理装置を初めて起動した際に、既定の設定情報を使用者の利用環境、利用形態に応じて設定し直すようにしている。
【先行技術文献】
【特許文献】
【０００４】
【特許文献１】特開２００７−２６４０７２号公報
【発明の概要】
【発明が解決しようとする課題】
【０００５】
しかしながら、従来の技術においては、使用者の利用環境、利用形態に関わらず、情報処理装置が対応しているすべての設定項目を表示部に表示し、その設定項目に対応する設定情報の入力操作を受付けるようにしているため、入力した設定情報に誤りが生じることがあり、使用者が利用環境、利用形態に応じてすべての設定情報を正しく設定することが難しいという問題がある。
本発明は、このような問題を解決することを課題とし、設定情報の設定操作を容易にすることを目的とする。
【課題を解決するための手段】
【０００６】
そのため、本発明は、第１設定画面と、第２設定画面と、第３設定画面と、第４設定画面とを表示する表示部と、前記表示部に前記第１設定画面が表示されているときに、第１設定情報を設定するためのユーザ操作を受け付け、前記表示部に前記第２設定画面が表示されているときに、第２設定情報を設定するためのユーザ操作を受け付け、前記表示部に前記第３設定画面が表示されているときに、第３設定情報を設定するためのユーザ操作を受け付け、前記表示部に前記第４設定画面が表示されているときに、第４設定情報を設定するためのユーザ操作を受け付ける入力部と、前記第１設定情報と、前記第２設定情報と、前記第３設定情報と、前記第４設定情報とを記憶する記憶部と、前記入力部が前記第１設定情報を設定するためのユーザ操作を受け付けた後、前記第２設定画面を前記表示部に表示させ、前記入力部が前記第２設定情報を設定するためのユーザ操作を受け付けた後、前記第３設定画面を前記表示部に表示させ、前記入力部が前記第３設定情報を設定するためのユーザ操作を受け付けた後、前記第４設定画面を前記表示部に表示させる制御部と、を備え、前記制御部は、前記第１設定情報を設定するためのユーザ操作および前記第２設定情報を設定するためのユーザ操作の受け付けが完了した後、前記第１設定情報と前記第２設定情報とを前記記憶部に記憶させ、前記第３設定情報を設定するためのユーザ操作および前記第４設定情報を設定するためのユーザ操作の受け付けが完了した後、前記第３設定情報と前記第４設定情報とを前記記憶部に記憶させ、前記表示部は、前記第１設定画面と前記第２設定画面とを含む第１設定画面群へのリンクと、前記第３設定画面と前記第４設定画面とを含む第２設定画面群へのリンクとを含むリンク画面を表示し、前記制御部は、前記入力部が前記第１設定画面群へのリンクを指定する旨のユーザ操作を受け付けた場合、前記表示部に前記第１設定画面を表示させ、前記入力部が前記第２設定画面群へのリンクを指定する旨のユーザ操作を受け付けた場合、前記表示部に前記第３設定画面を表示させ、前記リンク画面は、機能の名称と、前記機能の名称を列挙した一覧と、前記機能の説明文字列と、前記機能のそれぞれの設定情報の名称とを表示し、前記一覧に表示された機能の名称を選択する選択手段と、前記選択手段で選択されている前記機能の設定画面に遷移させる入力手段と、を有することを特徴とする。
【発明の効果】
【０００７】
このようにした本発明は、設定情報の設定操作を容易にすることができるという効果が得られる。
【図面の簡単な説明】
【０００８】
【図１】実施例における情報処理システムおよび複合装置の構成を示すブロック図
【図２】実施例における設定処理（言語設定）の流れを示すフローチャート
【図３】実施例における設定処理（日付／時刻設定）の流れを示すフローチャート
【図４】実施例における設定処理（管理者パスワード設定）の流れを示すフローチャート
【図５】実施例における設定処理（ファクス設定）の流れを示すフローチャート
【図６】実施例における設定処理（ネットワーク設定）の流れを示すフローチャート
【図７】実施例における設定処理（Ｅメール設定）の流れを示すフローチャート
【図８】実施例における設定情報の説明図
【図９】実施例における受信設定および認証方式設定の説明図
【図１０】実施例における初期設定（言語）画面の説明図
【図１１】実施例における言語設定画面の説明図
【図１２】実施例における初期設定（日付／時刻）画面の説明図
【図１３】実施例におけるタイムゾーン設定画面の説明図
【図１４】実施例におけるサマータイム設定画面の説明図
【図１５】実施例における日付設定画面の説明図
【図１６】実施例における時刻設定画面の説明図
【図１７】実施例における初期設定（管理者パスワード）画面の説明図
【図１８】実施例における管理者パスワード設定画面の説明図
【図１９】実施例における管理者パスワード設定画面の説明図
【図２０】実施例における初期設定（ファクス設定）画面の説明図
【図２１】実施例におけるファクス設定画面の説明図
【図２２】実施例におけるファクス設定画面の説明図
【図２３】実施例における初期設定（ネットワーク設定）画面の説明図
【図２４】実施例におけるネットワーク設定画面の説明図
【図２５】実施例におけるネットワーク設定画面の説明図
【図２６】実施例におけるネットワーク設定画面の説明図
【図２７】実施例における初期設定（Ｅメール設定）画面の説明図
【図２８】実施例におけるＥメール設定画面の説明図
【図２９】実施例におけるＥメール設定画面の説明図
【図３０】実施例におけるＥメール設定画面の説明図
【図３１】実施例におけるＥメール設定画面の説明図
【図３２】実施例におけるＥメール設定画面の説明図
【図３３】実施例におけるＥメール設定画面の説明図
【図３４】実施例におけるＥメール設定画面の説明図
【図３５】実施例における初期設定（テスト印刷）画面の説明図
【図３６】実施例におけるテスト印刷画面の説明図
【図３７】実施例における設定完了画面の説明図
【発明を実施するための形態】
【０００９】
以下、図面を参照して本発明による情報処理装置の実施例を説明する。
【実施例１】
【００１０】
図１は実施例における情報処理システムおよび複合装置の構成を示すブロック図である。
図１において、情報処理システム１は、ファクシミリ装置１０１と、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ２０１と、メールサーバ２０２と、複合装置３０１とにより構成されている。ＤＨＣＰサーバ２０１と、メールサーバ２０２と、複合装置３０１とは通信回線としてのネットワーク１００を介して通信可能に接続され、ファクシミリ装置１０１と、複合装置３０１とは公衆電話回線１０２を介して通信可能に接続されている。なお、本実施例において、ネットワーク１００は、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いて通信を行うものとする。
【００１１】
ファクシミリ装置１０１は、公衆電話回線１０２に接続され、複合装置３０１等との間でファクシミリの送受信を行うものである。
ＤＨＣＰサーバ２０１は、ネットワーク１００に接続された複合装置３０１にネットワーク通信を行うためのＩＰアドレス、サブネットマスク、並びにデフォルトゲートウェイ、ＤＮＳ（Ｄｏｍａｉｎ  Ｎａｍｅ  Ｓｙｓｔｅｍ）サーバ（プライマリ）、ＤＮＳサーバ（セカンダリ）、ＷＩＮＳ（Ｗｉｎｄｏｗｓ（登録商標）  Ｉｎｔｅｒｎｅｔ  Ｎａｍｅ  Ｓｅｒｖｉｃｅ）サーバ（プライマリ）、およびＷＩＮＳサーバ（セカンダリ）等の各ＩＰアドレス等を割り振るものである。
【００１２】
メールサーバ２０２は、複合装置３０１から送信された電子メールを他のメールサーバへ配信し、また複合装置３０１に割り当てられた電子メールアドレス宛に受信した電子メールデータを、複合装置３０１の要求により、複合装置３０１へ配信するものである。
情報処理装置としての複合装置３０１は、設定情報を有し、その設定情報に基づいて動作を行うものである。この複合装置３０１は、例えば複写（コピー）、ファクシミリ送信、ファクシミリ受信、スキャナ等の読取部で読取った画像を電子メールで送信、電子メールの受信等の各機能を有するものである。
【００１３】
複合装置３０１は、操作表示部３０２と、読取部３０３と、制御部３０４と、印刷部３０５と、送受信部３０６と、記憶部３０７と、ファクス送受信部３０８とを有している。
操作表示部３０２は、複合装置３０１に搭載されるオペレーションパネルであり、タッチパネル形式の入力操作を受付ける操作部（入力部）とディスプレイ等の表示部とを備えたものである。操作表示部３０２は、コピー、ファクシミリ送信、読取った画像を電子メールで送信等の各機能の選択操作を誘導する画面を表示部に表示するとともに、ユーザによる各機能の選択操作を受付ける。
【００１４】
また、操作表示部３０２は、後述する設定情報の入力操作を誘導する設定情報入力画面を表示し、その設定情報入力画面で入力操作を受付ける。
読取部３０３は、複合装置３０１に搭載されるスキャナユニットであり、原稿をスキャナで読取り、読取った画像の電子データを生成するものである。
制御部３０４は、複合装置３０１に搭載されるコントロールユニットであり、記憶部３０７に記憶された制御プログラム（ソフトウェア）に基づいて複合装置３０１全体の動作を制御するものである。この制御部３０４は、操作表示部３０２に設定情報入力画面を表示させるとともに、操作表示部３０２で受付けた設定情報を記憶部３０７に保存する。
【００１５】
印刷部３０５は、複合装置３０１に搭載されるプリンタユニットであり、電子データに基づいて媒体に画像を形成して印刷を行うものである。
送受信部３０６は、ネットワーク１００によるデータ送受信モジュールであり、ネットワーク１００を介したデータの送受信を行うものである。送受信部３０６は、ＤＨＣＰサーバ２０１から割り振られたアドレス等を記憶部３０７に記憶するとともに、そのアドレス等に基づいてメールサーバ２０２への電子メールデータの送受信等、ネットワーク１００を介したデータの送受信を行う。
【００１６】
記憶部３０７は、不揮発性のメモリ等であり、操作表示部３０２で受付けた入力操作により設定される言語設定、日付／時刻設定、管理者パスワード設定、ファクス設定、ネットワーク設定、電子メール（以下、「Ｅメール」という。）設定の各設定値を設定情報として記憶、保存するものである。
記憶部３０７に記憶される設定情報は、例えば図８に示す設定情報３０７１であり、大項目ラベル３０７１ａ、番号３０７１ｂ、および小項目ラベル３０７１ｃにより構成されたものである。
【００１７】
大項目ラベル３０７１ａは、各設定値を分類したものであり、「言語設定」、「日付／時刻」、「管理者パスワード」、「ファクス設定」、「ネットワーク設定」、「Ｅメール設定」、「テスト印刷」等で構成されている。
小項目ラベル３０７１ｃは、大項目ラベル３０７１ａを構成するそれぞれの設定値であり、番号３０７１ｂは、小項目ラベル３０７１ｃの各設定値に付与した番号である。
番号３０７１ｂは、小項目ラベルの順番／小項目ラベルの総数で表現される。
【００１８】
なお、大項目ラベル３０７１ａの「ネットワーク設定」については、設定の方法によりＤＨＣＰサーバ２０１からネットワーク１００を介して割り振られて設定されることがあり、その場合は送受信部３０６によって記憶部３０７への記憶指示が行われ、その指示に従って記憶部３０７に保存される。
また、記憶部３０７には、複合装置３０１が、初回の起動がされていないことを表す情報として未起動情報が記憶されている。
【００１９】
ファクス送受信部３０８は、公衆電話回線１０２に接続されたファクシミリ装置１０１との間で送受信を行うものである。ファクス送受信部３０８は、読取部３０３で生成された電子データをファクシミリ装置１０１へ送信することができ、またファクシミリ装置１０１から送信された電子データを受信して印刷部３０５に渡し、印刷を行うことができる。
【００２０】
このように構成された複合装置３０１の制御部３０４は、順次、設定情報入力画面を操作表示部３０２に表示して設定情報の入力操作を誘導し、それぞれの設定情報入力画面で設定情報の入力操作を受付け、それぞれの設定情報入力画面で設定情報の入力が完了したとき、設定情報の保存を指示する入力操作を受付ける入力手段を表示し、入力手段で入力操作を受付けた場合、それぞれの設定情報入力画面で受付けた設定情報を記憶部３０７に保存する。
【００２１】
上述した構成の作用について説明する。
複合装置が行う設定処理を図２〜図７に示す実施例における設定処理の流れを示すフローチャートの図中Ｓで表すステップに従って図１および図８を参照しながら説明する。なお、図２〜図７で一連の設定処理を示しているが、説明の便宜上、設定処理を６つのフローチャートに分割して説明する。
まず、複合装置３０１が行う設定処理（言語設定）を図２の実施例における設定処理（言語設定）の流れを示すフローチャートに基づいて説明する。
Ｓ１０１：利用者は、複合装置３０１を購入し、複合装置３０１に電源を投入し、初回の起動を行うものとする。複合装置３０１の制御部３０４は、本設定処理を開始する。
【００２２】
Ｓ１０２：制御部３０４は、記憶部３０７に保持されている未起動情報を確認し、初回の起動であるため、操作表示部３０２に初回起動時の初期設定画面を表示する。この初回起動時の初期設定画面は、例えば図１０に示す初回起動時の初期設定画面１０であり、初回起動時の初期設定であることを示す領域１０ａ、選択されている機能の名称としての大項目ラベル（言語設定）を表示する領域１０ｂ、大項目ラベルの一覧（機能の名称を列挙した一覧）を表示する領域１０ｃ、選択されている大項目ラベルの説明（機能の説明文字列）を表示する領域１０ｄ、選択されている大項目ラベルに属する小項目ラベル（機能のそれぞれの設定情報の名称）を表示する領域１０ｅ、設定を中止する中止ボタン１０ｆ、前の大項目ラベルへ移動する「前の項目へ」ボタン１０ｇ（一覧に表示された機能の名称を選択する選択手段）、次の大項目ラベルへ移動する「スキップ」ボタン１０ｈ（一覧に表示された機能の名称を選択する選択手段）、および選択されている大項目ラベルの一つ目の小項目ラベルの設定画面に移動する「次」ボタン１０ｉ（選択手段で選択されている機能の設定情報入力画面に遷移させる入力手段）を備えている。なお、大項目ラベルの一覧を表示する領域１０ｃでは、選択されている大項目ラベル（例えば、「１．言語設定」）の文字列が強調して表示される。
【００２３】
このように、制御部３０４は、設定情報を入力する機能をリンクにより選択可能にした機能選択（リンク）画面としての初回起動時の初期設定画面を操作表示部３０２に表示する。
Ｓ１０３：制御部３０４は、操作表示部３０２に表示した初回起動時の初期設定画面において「スキップ」ボタンが押下されたことを検知すると処理をＳ１１１へ移行し、「スキップ」ボタンが押下されていない場合は処理をＳ１０４へ移行する。
【００２４】
Ｓ１０４：制御部３０４は、操作表示部３０２に表示した初回起動時の初期設定画面において「次」ボタンが押下されたことを検知すると処理をＳ１０５へ移行し、「次」ボタンが押下されていない場合は処理をＳ１０３へ移行する。なお、制御部３０４は、「中止」ボタンが押下されたことを検知すると初回起動時の初期設定の処理を終了し、また「前の項目へ」ボタンが押下されたことを検知すると前の大項目ラベルへ移動する。
【００２５】
Ｓ１０５：「次」ボタンが押下されたことを検知した制御部３０４は、操作表示部３０２に設定情報入力画面としての言語設定画面を表示する。この言語設定画面は、例えば図１１に示す言語設定画面１１であり、初回起動時の初期設定であることを示す領域１１ａ、選択されている大項目ラベル（機能の名称）、小項目ラベルの番号（設定情報の順序を表す番号であり、例えば、「[１／１]等」）、および小項目ラベル（設定情報の名称）を表示する領域１１ｂ、小項目ラベルの説明を表示する領域１１ｃ、小項目ラベルの設定値としての言語を選択するボタンを表示する領域１１ｄ、設定を中止する中止ボタン１１ｅ、前の小項目ラベル、または最初の小項目ラベルである場合は図１０に示す初回起動時の初期設定画面１０へ移動する「前」ボタン１１ｆ（機能選択画面へ戻る入力手段）、および次の小項目ラベル、または最後の小項目ラベルである場合は変更された設定値を記憶部３０７の設定情報３０７１に記憶して図１０に示す初回起動時の初期設定画面１０へ移動する「次」ボタン１１ｇ（それぞれの設定情報入力画面で設定情報の入力が完了したとき、設定情報の保存を指示する入力操作を受付ける入力手段）を備えている。
【００２６】
なお、領域１１ｂに表示される小項目ラベルの番号は、記憶部３０７に記憶されている設定情報３０７１であり、“[”＋「小項目ラベルの順番」＋“／”＋「小項目ラベルの総数」＋“]”で表現される。
このように、制御部３０４は、初回起動時の初期設定画面で選択された機能に対応する設定情報入力画面としての言語設定画面を操作表示部３０２に表示する。
【００２７】
Ｓ１０６：制御部３０４は、操作表示部３０２に表示した言語設定画面において「前」ボタンが押下されたことを検知すると、初回起動時の初期設定画面を表示するため処理をＳ１０２へ移行し、「前」ボタンが押下されていない場合は処理をＳ１０７へ移行する。
Ｓ１０７：制御部３０４は、操作表示部３０２に表示した言語設定画面において「次」ボタンが押下されたことを検知すると、Ｓ１１０において入力された設定値を記憶部３０７に保存するため処理をＳ１０８へ移行し、「次」ボタンが押下されていない場合は処理をＳ１０９へ移行する。
【００２８】
Ｓ１０８：「次」ボタンが押下されたことを検知した制御部３０４は、Ｓ１１０において入力された言語の設定値（言語）を記憶部３０７の設定情報３０７１に保存して処理をＳ１１１へ移行する。
Ｓ１０９：制御部３０４は、操作表示部３０２に表示した言語設定画面において小項目ラベルの設定値を表示する領域で言語を選択するボタンの押下を検知すると処理をＳ１１０へ移行し、言語を選択するボタンが押下されていない場合は処理をＳ１０６へ移行する。
【００２９】
Ｓ１１０：言語を選択するボタンの押下を検知した制御部３０４は、操作表示部３０２に表示する言語を選択された言語に切り替えて処理をＳ１０６へ移行する。
次に、複合装置３０１が行う設定処理（日付／時刻設定）を図３の実施例における設定処理（日付／時刻設定）の流れを示すフローチャートに基づいて説明する。
Ｓ１１１：制御部３０４は、操作表示部３０２に日付／時刻設定画面を表示する。この日付／時刻設定画面は、例えば図１２に示す日付／時刻設定画面１２であり、図１０に示す初回起動時の初期設定画面１０と略同様の画面である。
【００３０】
日付／時刻設定画面１２の領域１２ｂには、選択されている大項目ラベル（日付／時刻）が表示され、領域１２ｃには、大項目ラベルの「２．日付／時刻」の文字列が強調して表示される。また、選択されている大項目ラベルの説明を表示する領域１２ｄ、および選択されている大項目ラベルに属する小項目ラベルを表示する領域１２ｅの表示内容が大項目ラベルとしての日付／時刻の内容となる。
【００３１】
なお、中止ボタン１２ｆは、本実施例で説明するすべてに表示されるボタンであり、この中止ボタン１２ｆが押下されると、制御部３０４は、初回起動時の初期設定処理を中止し、中止ボタン１２ｆが押下されるまでに記憶部３０７の設定情報３７０１に保存した設定値で複合装置３０１全体の動作を制御する。
Ｓ１１２：制御部３０４は、操作表示部３０２に表示した日付／時刻設定画面において「スキップ」ボタンが押下されたことを検知すると処理をＳ１３６へ移行し、「スキップ」ボタンが押下されていない場合は処理をＳ１１３へ移行する。
【００３２】
Ｓ１１３：制御部３０４は、操作表示部３０２に表示した日付／時刻設定画面において「次」ボタンが押下されたことを検知すると処理をＳ１１５へ移行し、「次」ボタンが押下されていない場合は処理をＳ１１４へ移行する。
Ｓ１１４：制御部３０４は、操作表示部３０２に表示した日付／時刻設定画面において「前の項目へ」ボタンが押下されたことを検知すると処理をＳ１０２へ移行し、「前の項目へ」ボタンが押下されていない場合は処理をＳ１１２へ移行する。
【００３３】
Ｓ１１５：「次」ボタンが押下されたことを検知した制御部３０４は、操作表示部３０２にタイムゾーン設定画面を表示する。このタイムゾーン設定画面は、例えば図１３に示すタイムゾーン設定画面１３であり、図１１に示す言語設定画面１１と略同様の画面である。
領域１３ｄには、小項目ラベルの設定値としてのタイムゾーンを選択するボタンがリスト形式で表示される。
【００３４】
Ｓ１１６：制御部３０４は、操作表示部３０２に表示したタイムゾーン設定画面において「前」ボタンが押下されたことを検知すると、日付／時刻設定画面を表示するため処理をＳ１１１へ移行し、「前」ボタンが押下されていない場合は処理をＳ１１７へ移行する。
Ｓ１１７：制御部３０４は、操作表示部３０２に表示したタイムゾーン設定画面において「次」ボタンが押下されたことを検知すると、次の設定画面に移行するため処理をＳ１２０へ移行し、「次」ボタンが押下されていない場合は処理をＳ１１８へ移行する。
【００３５】
Ｓ１１８：制御部３０４は、操作表示部３０２に表示したタイムゾーン設定画面において小項目ラベルの設定値を表示する領域でタイムゾーンを選択するボタンの押下を検知すると処理をＳ１１９へ移行し、タイムゾーンを選択するボタンが押下されていない場合は処理をＳ１１６へ移行する。
Ｓ１１９：タイムゾーンを選択するボタンの押下を検知した制御部３０４は、操作表示部３０２の表示を選択されたタイムゾーンに切り替えて処理をＳ１１６へ移行する。
【００３６】
Ｓ１２０：「次」ボタンが押下されたことを検知した制御部３０４は、操作表示部３０２にサマータイム設定画面を表示する。このサマータイム設定画面は、例えば図１４に示すタイムゾーン設定画面１４であり、図１１に示す言語設定画面１１と略同様の画面である。
領域１４ｄには、小項目ラベルの設定値としてのサマータイムを選択するボタンが表示される。
【００３７】
Ｓ１２１：制御部３０４は、操作表示部３０２に表示したサマータイム設定画面において「前」ボタンが押下されたことを検知すると、タイムゾーン設定画面を表示するため処理をＳ１１５へ移行し、「前」ボタンが押下されていない場合は処理をＳ１２２へ移行する。
Ｓ１２２：制御部３０４は、操作表示部３０２に表示したサマータイム設定画面において「次」ボタンが押下されたことを検知すると、次の設定画面に移行するため処理をＳ１２５へ移行し、「次」ボタンが押下されていない場合は処理をＳ１２３へ移行する。
【００３８】
Ｓ１２３：制御部３０４は、操作表示部３０２に表示したサマータイム設定画面において小項目ラベルの設定値を表示する領域でサマータイムの設定（「現在、サマータイムである」）を選択するボタンの押下を検知すると処理をＳ１２４へ移行し、サマータイムを選択するボタンが押下されていない場合は処理をＳ１２１へ移行する。
Ｓ１２４：サマータイムを選択するボタンの押下を検知した制御部３０４は、サマータイムを設定して処理をＳ１２１へ移行する。
【００３９】
Ｓ１２５：「次」ボタンが押下されたことを検知した制御部３０４は、操作表示部３０２に日付設定画面を表示する。この日付設定画面は、例えば図１５に示す日付設定画面１５であり、図１１に示す言語設定画面１１と略同様の画面である。
領域１５ｄには、小項目ラベルの設定値としての日付（年月日）を設定するボタンが表示される。
Ｓ１２６：制御部３０４は、操作表示部３０２に表示した日付設定画面において「前」ボタンが押下されたことを検知すると、サマータイム設定画面を表示するため処理をＳ１２０へ移行し、「前」ボタンが押下されていない場合は処理をＳ１２７へ移行する。
【００４０】
Ｓ１２７：制御部３０４は、操作表示部３０２に表示した日付設定画面において「次」ボタンが押下されたことを検知すると、次の設定画面に移行するため処理をＳ１３０へ移行し、「次」ボタンが押下されていない場合は処理をＳ１２８へ移行する。
Ｓ１２８：制御部３０４は、操作表示部３０２に表示した日付設定画面において小項目ラベルの設定値を表示する領域で日付（年月日）を変更するボタンの押下を検知すると処理をＳ１２９へ移行し、日付を変更するボタンが押下されていない場合は処理をＳ１２６へ移行する。
【００４１】
Ｓ１２９：日付を変更するボタンの押下を検知した制御部３０４は、日付を変更して処理をＳ１２６へ移行する。
Ｓ１３０：「次」ボタンが押下されたことを検知した制御部３０４は、操作表示部３０２に時刻設定画面を表示する。この時刻設定画面は、例えば図１６に示す時刻設定画面１６であり、図１１に示す言語設定画面１１と略同様の画面である。
領域１６ｄには、小項目ラベルの設定値としての時刻（時分秒）を設定するボタンが表示される。
【００４２】
Ｓ１３１：制御部３０４は、操作表示部３０２に表示した時刻設定画面において「前」ボタンが押下されたことを検知すると、日付設定画面を表示するため処理をＳ１２５へ移行し、「前」ボタンが押下されていない場合は処理をＳ１３２へ移行する。
Ｓ１３２：制御部３０４は、操作表示部３０２に表示した時刻設定画面において「次」ボタンが押下されたことを検知すると、次の設定画面に移行するため処理をＳ１３３へ移行し、「次」ボタンが押下されていない場合は処理をＳ１３４へ移行する。
【００４３】
Ｓ１３３：「次」ボタンが押下されたことを検知した制御部３０４は、Ｓ１１９、Ｓ１２４、Ｓ１２９、Ｓ１３５において入力される設定値（タイムゾーン、サマータイム、日付、時刻）を記憶部３０７の設定情報３０７１に保存して処理をＳ１３６へ移行する。
Ｓ１３４：制御部３０４は、操作表示部３０２に表示した時刻設定画面において小項目ラベルの設定値を表示する領域で時刻（時分秒）を変更するボタンの押下を検知すると処理をＳ１３５へ移行し、時刻を変更するボタンが押下されていない場合は処理をＳ１３１へ移行する。
【００４４】
Ｓ１３５：時刻を変更するボタンの押下を検知した制御部３０４は、時刻を変更して処理をＳ１３１へ移行する。
このように、制御部３０４は、機能毎に、順次、設定情報入力画面を操作表示部３０２に表示して設定情報の入力操作を誘導し、それぞれの設定情報入力画面で設定情報の入力操作を受付け、一の機能におけるすべての設定情報の入力が完了し、他の機能の設定情報の入力に移行する「次」ボタンの入力操作を受付けた場合、それぞれの設定情報入力画面で受付けた設定情報を記憶部に保存する。
【００４５】
次に、複合装置３０１が行う設定処理（管理者パスワード設定）を図４の実施例における設定処理（管理者パスワード設定）の流れを示すフローチャートに基づいて説明する。
Ｓ１３６：制御部３０４は、操作表示部３０２に管理者パスワード設定画面を表示する。この管理者パスワード設定画面は、例えば図１７に示す管理者パスワード設定画面１７であり、図１０に示す初回起動時の初期設定画面１０と略同様の画面である。
【００４６】
管理者パスワード設定画面１７の領域１７ｂには、選択されている大項目ラベル（管理者パスワード）が表示され、領域１７ｃには、大項目ラベルの「３．管理者パスワード」の文字列が強調して表示される。また、選択されている大項目ラベルの説明を表示する領域１７ｄ、および選択されている大項目ラベルに属する小項目ラベルを表示する領域１７ｅの表示内容が大項目ラベルとしての管理者パスワードの内容となる。
【００４７】
Ｓ１３７：制御部３０４は、操作表示部３０２に表示した管理者パスワード設定画面において「スキップ」ボタンが押下されたことを検知すると処理をＳ１４６へ移行し、「スキップ」ボタンが押下されていない場合は処理をＳ１３８へ移行する。
Ｓ１３８：制御部３０４は、操作表示部３０２に表示した管理者パスワード設定画面において「次」ボタンが押下されたことを検知すると処理をＳ１４０へ移行し、「次」ボタンが押下されていない場合は処理をＳ１３９へ移行する。
【００４８】
Ｓ１３９：制御部３０４は、操作表示部３０２に表示した管理者パスワード設定画面において「前の項目へ」ボタンが押下されたことを検知すると処理をＳ１１１へ移行し、「前の項目へ」ボタンが押下されていない場合は処理をＳ１３７へ移行する。
Ｓ１４０：「次」ボタンが押下されたことを検知した制御部３０４は、操作表示部３０２に管理者パスワード入力画面を表示する。この管理者パスワード入力画面は、例えば図１８に示す管理者パスワード入力画面１８であり、図１１に示す言語設定画面１１と略同様の画面である。
【００４９】
領域１８ｄには、小項目ラベルの設定値としての管理者パスワードを入力するためのキーが表示される。
Ｓ１４１：制御部３０４は、操作表示部３０２に表示した管理者パスワード入力画面または管理者パスワード確認入力画面において「前」ボタンが押下されたことを検知すると、管理者パスワード設定画面を表示するため処理をＳ１３６へ移行し、「前」ボタンが押下されていない場合は処理をＳ１４２へ移行する。
【００５０】
Ｓ１４２：制御部３０４は、操作表示部３０２に表示した管理者パスワード確認入力画面において「次」ボタンが押下されたことを検知すると、次の設定画面に移行するため処理をＳ１４３へ移行し、「次」ボタンが押下されていない場合は処理をＳ１４４へ移行する。
Ｓ１４３：「次」ボタンが押下されたことを検知した制御部３０４は、Ｓ１４５において入力された設定値（管理者パスワード）を記憶部３０７の設定情報３０７１に保存して処理をＳ１４６へ移行する。
【００５１】
Ｓ１４４：制御部３０４は、操作表示部３０２に表示した管理者パスワード入力画面において管理者パスワードが入力され、さらに図１９に示す管理者パスワード確認入力画面１９で管理者パスワードが入力されると処理をＳ１４５へ移行し、管理者パスワードが入力されていない場合は処理をＳ１４１へ移行する。
Ｓ１４５：管理者パスワードが入力を検知した制御部３０４は、管理者パスワードを変更して処理をＳ１４１へ移行する。
【００５２】
次に、複合装置３０１が行う設定処理（ファクス設定）を図５の実施例における設定処理（ファクス設定）の流れを示すフローチャートに基づいて説明する。
Ｓ１４６：制御部３０４は、操作表示部３０２にファクス設定画面を表示する。このファクス設定画面は、例えば図２０に示すファクス設定画面２０であり、図１０に示す初回起動時の初期設定画面１０と略同様の画面である。
【００５３】
ファクス設定画面２０の領域２０ｂには、選択されている大項目ラベル（ファクス設定）が表示され、領域２０ｃには、大項目ラベルの「４．ファクス設定」の文字列が強調して表示される。また、選択されている大項目ラベルの説明を表示する領域２０ｄ、および選択されている大項目ラベルに属する小項目ラベルを表示する領域２０ｅの表示内容が大項目ラベルとしてのファクス設定の内容となる。
【００５４】
Ｓ１４７：制御部３０４は、操作表示部３０２に表示したファクス設定画面において「スキップ」ボタンが押下されたことを検知すると処理をＳ１６１へ移行し、「スキップ」ボタンが押下されていない場合は処理をＳ１４８へ移行する。
Ｓ１４８：制御部３０４は、操作表示部３０２に表示したファクス設定画面において「次」ボタンが押下されたことを検知すると処理をＳ１５０へ移行し、「次」ボタンが押下されていない場合は処理をＳ１４９へ移行する。
【００５５】
Ｓ１４９：制御部３０４は、操作表示部３０２に表示したファクス設定画面において「前の項目へ」ボタンが押下されたことを検知すると処理をＳ１３６へ移行し、「前の項目へ」ボタンが押下されていない場合は処理をＳ１４７へ移行する。
Ｓ１５０：「次」ボタンが押下されたことを検知した制御部３０４は、操作表示部３０２にファクス番号設定画面を表示する。このファクス番号設定画面は、例えば図２１に示すファクス番号設定画面２１であり、図１１に示す言語設定画面１１と略同様の画面である。
領域２１ｄには、小項目ラベルの設定値としてファクス番号を入力するボタンが表示される。
【００５６】
Ｓ１５１：制御部３０４は、操作表示部３０２に表示したファクス番号設定画面において「前」ボタンが押下されたことを検知すると、ファクス設定画面を表示するため処理をＳ１４６へ移行し、「前」ボタンが押下されていない場合は処理をＳ１５２へ移行する。
Ｓ１５２：制御部３０４は、操作表示部３０２に表示したファクス番号設定画面において「次」ボタンが押下されたことを検知すると、次の設定画面に移行するため処理をＳ１５５へ移行し、「次」ボタンが押下されていない場合は処理をＳ１５３へ移行する。
【００５７】
Ｓ１５３：制御部３０４は、操作表示部３０２に表示したファクス番号設定画面において小項目ラベルの設定値を表示する領域でファクス番号を入力するボタンの押下を検知すると処理をＳ１５４へ移行し、ファクス番号を入力するボタンが押下されていない場合は処理をＳ１５１へ移行する。
Ｓ１５４：ファクス番号を入力するボタンの押下を検知した制御部３０４は、入力されたファクス番号を設定値として記憶して処理をＳ１５１へ移行する。
【００５８】
Ｓ１５５：「次」ボタンが押下されたことを検知した制御部３０４は、操作表示部３０２に送信者情報設定画面を表示する。この送信者情報設定画面は、例えば図２２に示す送信者情報設定画面２２であり、図１１に示す言語設定画面１１と略同様の画面である。
領域２２ｄには、小項目ラベルの設定値としての送信者情報を入力するキーが表示される。
【００５９】
Ｓ１５６：制御部３０４は、操作表示部３０２に表示した送信者情報設定画面において「前」ボタンが押下されたことを検知すると、ファクス番号設定画面を表示するため処理をＳ１５０へ移行し、「前」ボタンが押下されていない場合は処理をＳ１５７へ移行する。
Ｓ１５７：制御部３０４は、操作表示部３０２に表示した送信者情報設定画面において「次」ボタンが押下されたことを検知すると、次の設定画面に移行するため処理をＳ１５８へ移行し、「次」ボタンが押下されていない場合は処理をＳ１５９へ移行する。
【００６０】
Ｓ１５８：「次」ボタンが押下されたことを検知した制御部３０４は、Ｓ１５４、Ｓ１６０において入力される設定値（ファクス番号、送信者情報）を記憶部３０７の設定情報３０７１に保存して処理をＳ１６１へ移行する。
Ｓ１５９：制御部３０４は、操作表示部３０２に表示した送信者情報設定画面において小項目ラベルの設定値を表示する領域で送信者情報を入力するキーの押下を検知すると処理をＳ１６０へ移行し、送信者情報を入力するキーが押下されていない場合は処理をＳ１５６へ移行する。
Ｓ１６０：送信者情報を入力するキーの押下を検知した制御部３０４は、入力された送信者情報を設定値として記憶して処理をＳ１５６へ移行する。
【００６１】
次に、複合装置３０１が行う設定処理（ネットワーク設定）を図６の実施例における設定処理（ネットワーク設定）の流れを示すフローチャートに基づいて説明する。
Ｓ１６１：制御部３０４は、操作表示部３０２にネットワーク設定画面を表示する。このネットワーク設定画面は、例えば図２３に示すネットワーク設定画面２３であり、図１０に示す初回起動時の初期設定画面１０と略同様の画面である。
【００６２】
ネットワーク設定画面２３の領域２３ｂには、選択されている大項目ラベル（ネットワーク設定）が表示され、領域２３ｃには、大項目ラベルの「５．ネットワーク設定」の文字列が強調して表示される。また、選択されている大項目ラベルの説明を表示する領域２３ｄ、および選択されている大項目ラベルに属する小項目ラベルを表示する領域２３ｅの表示内容が大項目ラベルとしてのネットワーク設定の内容となる。
【００６３】
Ｓ１６２：制御部３０４は、操作表示部３０２に表示したネットワーク設定画面において「スキップ」ボタンが押下されたことを検知すると処理をＳ１８４へ移行し、「スキップ」ボタンが押下されていない場合は処理をＳ１６３へ移行する。
Ｓ１６３：制御部３０４は、操作表示部３０２に表示したネットワーク設定画面において「次」ボタンが押下されたことを検知すると処理をＳ１６５へ移行し、「次」ボタンが押下されていない場合は処理をＳ１６４へ移行する。
Ｓ１６４：制御部３０４は、操作表示部３０２に表示したネットワーク設定画面において「前の項目へ」ボタンが押下されたことを検知すると処理をＳ１４６へ移行し、「前の項目へ」ボタンが押下されていない場合は処理をＳ１６１へ移行する。
【００６４】
Ｓ１６５：「次」ボタンが押下されたことを検知した制御部３０４は、操作表示部３０２にＩＰアドレス設定画面を表示する。このＩＰアドレス設定画面は、例えば図２４に示すＩＰアドレス設定画面２４であり、図１１に示す言語設定画面１１と略同様の画面である。
領域２４ｄには、小項目ラベルの設定値としてＩＰアドレスを自動設定するか手動設定するかを選択するボタンが表示される。
【００６５】
Ｓ１６６：制御部３０４は、操作表示部３０２に表示したＩＰアドレス設定画面において「前」ボタンが押下されたことを検知すると、ネットワーク設定画面を表示するため処理をＳ１６１へ移行し、「前」ボタンが押下されていない場合は処理をＳ１６７へ移行する。
Ｓ１６７：制御部３０４は、操作表示部３０２に表示したＩＰアドレス設定画面において「次」ボタンが押下されたことを検知すると、処理をＳ１７０へ移行し、「次」ボタンが押下されていない場合は処理をＳ１６８へ移行する。
【００６６】
Ｓ１６８：制御部３０４は、操作表示部３０２に表示したＩＰアドレス設定画面において小項目ラベルの設定値を表示する領域でＩＰアドレスを自動設定するか手動設定するかを選択するボタンの押下を検知すると処理をＳ１６９へ移行し、ＩＰアドレスを自動設定するか手動設定するかを選択するボタンが押下されていない場合は処理をＳ１６６へ移行する。
Ｓ１６９：ＩＰアドレスを自動設定するか手動設定するかを選択するボタンの押下を検知した制御部３０４は、選択されたＩＰアドレスの設定方法を設定値として記憶して処理をＳ１６６へ移行する。
【００６７】
Ｓ１７０：「次」ボタンが押下されたことを検知した制御部３０４は、「ＩＰアドレスを手動設定する」が選択されていると判定すると処理をＳ１７１へ移行し、「ＩＰアドレスを自動設定する」が選択されていると判定すると処理をＳ１８１へ移行する。
「ＩＰアドレスを自動設定する」が選択されていると判定した制御部３０４は、ＩＰアドレス、サブネットマスク、デフォルトゲートウェイ、ＤＮＳサーバ（プライマリ）、ＤＮＳサーバ（セカンダリ）、ＷＩＮＳサーバ（プライマリ）、およびＷＩＮＳサーバ（セカンダリ）の手動設定を行うことなく、処理をＳ１８１へ移行する。
【００６８】
この場合、送受信部３０６は、記憶部３０７の設定情報３０７１のＩＰアドレス設定に「自動」が保存されていることを検知し、ＤＨＣＰサーバ２０１をネットワークプロトコルによって探し出し、上述したＩＰアドレス等の各アドレス等を割り振るように要求する。ＤＨＣＰサーバ２０１は、その要求に従い、各アドレス等を複合装置３０１に配布する。
【００６９】
Ｓ１７１：「ＩＰアドレスを手動設定する」が選択されていると判定した制御部３０４は、操作表示部３０２にＩＰアドレス入力画面を表示する。このＩＰアドレス入力画面は、例えば図２５に示すＩＰアドレス入力画面２５であり、図１１に示す言語設定画面１１と略同様の画面である。
領域２５ｄには、小項目ラベルの設定値としてＩＰアドレスを入力するボタンが表示される。
【００７０】
Ｓ１７２：制御部３０４は、操作表示部３０２に表示したＩＰアドレス入力画面において「前」ボタンが押下されたことを検知すると、ＩＰアドレス設定画面を表示するため処理をＳ１６５へ移行し、「前」ボタンが押下されていない場合は処理をＳ１７３へ移行する。
Ｓ１７３：制御部３０４は、操作表示部３０２に表示したＩＰアドレス入力画面において「次」ボタンが押下されたことを検知すると、処理をＳ１７６へ移行し、「次」ボタンが押下されていない場合は処理をＳ１７４へ移行する。
【００７１】
Ｓ１７４：制御部３０４は、操作表示部３０２に表示したＩＰアドレス入力画面において小項目ラベルの設定値を表示する領域でＩＰアドレスを入力するボタンの押下を検知すると処理をＳ１７５へ移行し、ＩＰアドレスを入力するボタンが押下されていない場合は処理をＳ１７２へ移行する。
Ｓ１７５：ＩＰアドレスを入力するボタンの押下を検知した制御部３０４は、入力されたＩＰアドレスを設定値として記憶して処理をＳ１７２へ移行する。
【００７２】
Ｓ１７６：「次」ボタンが押下されたことを検知した制御部３０４は、操作表示部３０２にサブネットマスク入力画面を表示する。このサブネットマスク入力画面は、例えば図２６に示すサブネットマスク入力画面２６であり、図１１に示す言語設定画面１１と略同様の画面である。
領域２６ｄには、小項目ラベルの設定値としてサブネットマスクを入力するボタンが表示される。
【００７３】
制御部３０４は、上述したＳ１７２〜Ｓ１７５と同様の処理を行いサブネットマスクの入力処理を行う。
また、制御部３０４は、上述したＳ１７１〜Ｓ１７５と同様の処理を行い、デフォルトゲートウェイ、ＤＮＳサーバ（プライマリ）、ＤＮＳサーバ（セカンダリ）、およびＷＩＮＳサーバ（プライマリ）の各ＩＰアドレスの入力処理を行い、処理をＳ１７８へ移行する。
【００７４】
Ｓ１７８：「次」ボタンが押下されたことを検知した制御部３０４は、操作表示部３０２に、ＷＩＮＳサーバ（セカンダリ）ＩＰアドレス入力画面を表示する。このＷＩＮＳサーバ（セカンダリ）ＩＰアドレス入力画面は、図２５に示すＩＰアドレス入力画面２５と同様の画面である。
Ｓ１７９：制御部３０４は、操作表示部３０２に表示したＷＩＮＳサーバ（セカンダリ）ＩＰアドレス入力において「前」ボタンが押下されたことを検知すると、ＷＩＮＳサーバ（プライマリ）ＩＰアドレス入力画面を表示するため処理をＳ１７７へ移行し、「前」ボタンが押下されていない場合は処理をＳ１８０へ移行する。
【００７５】
Ｓ１８０：制御部３０４は、操作表示部３０２に表示したＷＩＮＳサーバ（セカンダリ）ＩＰアドレス入力画面において「次」ボタンが押下されたことを検知すると、次の設定画面に移行するため処理をＳ１８１へ移行し、「次」ボタンが押下されていない場合は処理をＳ１８２へ移行する。
【００７６】
Ｓ１８１：「次」ボタンが押下されたことを検知した制御部３０４は、Ｓ１６９、Ｓ１７５、Ｓ１７７、Ｓ１８３において入力される設定値（ＩＰアドレス、サブネットマスク、デフォルトゲートウェイ、ＤＮＳサーバ（プライマリ）、ＤＮＳサーバ（セカンダリ）、ＷＩＮＳサーバ（プライマリ）、およびＷＩＮＳサーバ（セカンダリ））を記憶部３０７の設定情報３０７１に保存して処理をＳ１８４へ移行する。
【００７７】
Ｓ１８２：制御部３０４は、操作表示部３０２に表示したＷＩＮＳサーバ（セカンダリ）ＩＰアドレス入力画面において小項目ラベルの設定値を表示する領域でＷＩＮＳサーバ（セカンダリ）ＩＰアドレスを入力するキーの押下を検知すると処理をＳ１８３へ移行し、ＷＩＮＳサーバ（セカンダリ）ＩＰアドレスを入力するキーが押下されていない場合は処理をＳ１７９へ移行する。
Ｓ１８３：ＷＩＮＳサーバ（セカンダリ）ＩＰアドレスを入力するキーの押下を検知した制御部３０４は、入力されたＷＩＮＳサーバ（セカンダリ）ＩＰアドレスを設定値として記憶して処理をＳ１７９へ移行する。
【００７８】
次に、複合装置３０１が行う設定処理（Ｅメール設定）を図７の実施例における設定処理（Ｅメール設定）の流れを示すフローチャートに基づいて説明する。
Ｓ１８４：制御部３０４は、操作表示部３０２にＥメール設定画面を表示する。このＥメール設定画面は、例えば図２７に示すＥメール設定画面２７であり、図１０に示す初回起動時の初期設定画面１０と略同様の画面である。
【００７９】
Ｅメール設定画面２７の領域２７ｂには、選択されている大項目ラベル（Ｅメール設定）が表示され、領域２７ｃには、大項目ラベルの「６．Ｅメール設定」の文字列が強調して表示される。また、選択されている大項目ラベルの説明を表示する領域２７ｄ、および選択されている大項目ラベルに属する小項目ラベルを表示する領域２７ｅの表示内容が大項目ラベルとしてのＥメール設定の内容となる。
なお、Ｅメール設定画面での入力処理は、上述したＳ１６２〜Ｓ１６５と同様の処理なのでその説明を省略する。
【００８０】
Ｓ１８５：制御部３０４は、操作表示部３０２にメールサーバアドレス入力画面を表示する。このメールサーバアドレス入力画面は、例えば図２８に示すメールサーバアドレス入力画面２８である。なお、メールサーバアドレス入力画面での入力処理は、上述した入力処理と同様の処理なのでその説明を省略する。以下、入力処理の説明は省略する。
Ｓ１８６：制御部３０４は、操作表示部３０２に差出人アドレス入力画面を表示する。この差出人アドレス入力画面は、例えば図２９に示す差出人アドレス入力画面２９である。
【００８１】
Ｓ１８７：制御部３０４は、操作表示部３０２に受信設定画面を表示する。この受信設定画面は、例えば図３０に示す受信設定画面３０である。
Ｓ１８８：制御部３０４は、操作表示部３０２に認証方式設定画面を表示する。この認証方式設定画面は、例えば図３１に示す認証方式設定画面３１である。
Ｓ１８９：制御部３０４は、Ｓ１８７において設定した受信設定と、Ｓ１８８において設定した認証方式設定との内容に基づいて処理を行う。制御部３０４は、図９に示すように、受信設定と認証方式設定との組み合わせに基づいてＳ１９０からＳ１９６の処理を選択して行う。
【００８２】
受信設定が「無効」、認証方式設定が「なし」の場合、または受信設定が「ＳＭＴＰ」、認証方式設定が「なし」の場合、制御部３０４は、Ｓ１９５、Ｓ１９６の処理を行い、処理をＳ１９７へ移行する。
受信設定が「無効」、認証方式設定が「ＳＭＴＰ認証」の場合、または受信設定が「ＳＭＴＰ」、認証方式設定が「ＳＭＴＰ認証」の場合、制御部３０４は、Ｓ１９０、Ｓ１９１、Ｓ１９５、Ｓ１９６の処理を行い、処理をＳ１９７へ移行する。
【００８３】
受信設定が「無効」、認証方式設定が「ＰＯＰ  ｂｅｆｏｒｅ  ＳＭＴＰ」の場合、受信設定が「ＰＯＰ３」、認証方式設定が「ＳＭＴＰ認証」の場合、受信設定が「ＰＯＰ３」、認証方式設定が「ＰＯＰ  ｂｅｆｏｒｅ  ＳＭＴＰ」の場合、または受信設定が「ＳＭＴＰ」、認証方式設定が「ＰＯＰ  ｂｅｆｏｒｅ  ＳＭＴＰ」の場合、制御部３０４は、Ｓ１９０〜Ｓ１９６の処理を行い、処理をＳ１９７へ移行する。
【００８４】
受信設定が「ＰＯＰ３」、認証方式設定が「なし」の場合、制御部３０４は、Ｓ１９２〜Ｓ１９６の処理を行い、処理をＳ１９７へ移行する。
Ｓ１９０：制御部３０４は、操作表示部３０２にＳＭＴＰユーザＩＤ入力画面を表示し、操作表示部３０２でＳＭＴＰユーザＩＤの入力操作を受付ける。
Ｓ１９１：制御部３０４は、操作表示部３０２にＳＭＴＰパスワード入力画面を表示し、操作表示部３０２でＳＭＴＰパスワードの入力操作を受付ける。
【００８５】
Ｓ１９２：制御部３０４は、操作表示部３０２にＰＯＰサーバ設定画面を表示し、操作表示部３０２でＰＯＰサーバの設定入力操作を受付ける。
Ｓ１９３：制御部３０４は、操作表示部３０２にＰＯＰユーザＩＤ入力画面を表示し、操作表示部３０２でＰＯＰユーザＩＤの入力操作を受付ける。
Ｓ１９４：制御部３０４は、操作表示部３０２にＰＯＰパスワード入力画面を表示し、操作表示部３０２でＰＯＰパスワードの入力操作を受付ける。
【００８６】
Ｓ１９５：制御部３０４は、操作表示部３０２にテストメール送信画面を表示する。このテストメール送信画面は、例えば図３２に示すテストメール送信画面３２である。ここでは、「テストメールを送信する」ボタンが押下され、制御部３０４は、ネットワーク設定およびＥメール設定で設定された設定値に基づいてテストメールを行うものとする。
Ｓ１９６：制御部３０４は、操作表示部３０２にテストメール送信宛先入力画面を表示する。このテストメール送信宛先入力画面は、例えば図３３に示すテストメール送信宛先入力画面３３である。制御部３０４は、操作表示部３０２でテストメール送信宛先の入力操作を受付ける。
【００８７】
Ｓ１９７：制御部３０４は、操作表示部３０２にテストメール送信確認画面を表示する。このテストメール送信確認画面は、例えば図３４に示すテストメール送信確認画面３４である。
Ｓ１９８：操作表示部３０２がテストメール送信確認画面において「はい」ボタンが押下されたことを検知すると、制御部３０４は、送受信部３０６によりメールサーバ２０２に電子メールデータを送信する。
【００８８】
ここで、例えば受信設定を「無効」以外の「ＰＯＰ」とし、差出人アドレスとテストメール送信宛先を同じアドレスとすれば、メールサーバ２０２に蓄積された電子メールデータは、複合装置３０１の送受信部３０６の要求によって複合装置３０１に配信される。送受信部３０６は、受信した電子メールデータを印刷部３０５に渡し、印刷部３０５は、電子メールデータを印刷する。このようにしてネットワーク設定およびＥメール設定の設定が正しく行われたことを確認することができる。
【００８９】
一方、テストメールの送受信の動作確認ができない場合、Ｓ１９７のテストメール送信確認画面（図３４参照）において「いいえ」ボタンを押下してＳ１９５のテストメール送信画面（図３２参照）に戻り、さらに「前」ボタンを押下して設定した値に誤りがないか確認することができる。
テストメールの送受信の動作確認ができた場合は、テストメール送信確認画面（図３４参照）において「いいえ」ボタンを押下してＳ１９５のテストメール送信画面（図３２参照）に戻り、さらに「次」ボタンを押下するものとする。
【００９０】
Ｓ１９９：「次」ボタンの押下を検知した制御部３０４は、Ｓ１８５〜Ｓ１９４入力された設定値を記憶部３０７の設定情報３０７１に保存して処理をＳ２００へ移行する。
Ｓ２００：制御部３０４は、操作表示部３０２にテスト印刷画面を表示する。このテスト印刷画面は、例えば図３５に示すテスト印刷画面３５であり、図１０に示す初回起動時の初期設定画面１０と略同様の画面である。
【００９１】
テスト印刷画面３５の領域３５ｂには、選択されている大項目ラベル（テスト印刷）が表示され、領域３５ｃには、大項目ラベルの「７．テスト印刷」の文字列が強調して表示される。また、選択されている大項目ラベルの説明を表示する領域３５ｄ、および選択されている大項目ラベルに属する小項目ラベルを表示する領域３５ｅの表示内容が大項目ラベルとしてのテスト印刷の内容となる。
なお、テスト印刷画面での入力処理は、上述したＳ１６２〜Ｓ１６５と同様の処理なのでその説明を省略する。
【００９２】
Ｓ２０１：操作表示部３０２がテスト印刷画面において「次」ボタンが押下されたことを検知すると、制御部３０４は、操作表示部３０２にテスト印刷指示画面を表示する。このテスト印刷指示画面は、例えば図３６に示すテスト印刷指示画面３６である。
Ｓ２０２：操作表示部３０２がテスト印刷指示画面において「テスト印刷する」ボタンが押下されたことを検知すると、制御部３０４は、印刷部３０５により、記憶部３０７に予め記憶されている電子データをテスト印刷する。これにより、複合装置３０１を購入し、初めて起動した際の印刷部３０５に初期不良があるか否かを確認することができる。
【００９３】
Ｓ２０３：テスト印刷指示画面において「次」ボタンの押下を検知した制御部３０４は、操作表示部３０２に設定完了画面を表示する。この設定完了画面は、例えば図３７に示す設定完了画面３７である。
制御部３０４は、設定完了画面において「閉じる」ボタンの押下を検知すると、記憶部３０７に保持されている未起動情報を消去し、操作表示部３０２に複合装置３０１の待機画面を表示し、コピー、ファクシミリ送信、ファクシミリ受信、読取った画像を電子メールで送信、電子メールの受信の各機能が使用できる状態にする。
【００９４】
なお、次回の複合装置３０１の起動時は、記憶部３０７に保持されている未起動情報が消去されているため、図１０に示す初回起動時の初期設定画面は表示されなくなる。
このように、本実施例では、制御部３０４が、順次、設定情報入力画面を操作表示部３０２に表示して設定情報の入力操作を誘導し、それぞれの設定情報入力画面で設定情報の入力操作を受付け、その設定情報入力画面で設定情報の保存を指示する入力操作として「次」ボタンの押下を受付けた場合、それぞれの設定情報入力画面で受付けた設定情報を記憶部３０７の設定情報３０７１に保存するようにしたことにより、利用者が行う設定情報の設定操作を容易にすることができる。
【００９５】
すなわち、本実施例の複合装置３０１は、第１設定画面（例えば、図２４に示す第１の機能としてのネットワーク設定のＩＰアドレス設定）と、第２設定画面（例えば、図２５に示す第１の機能としてのネットワーク設定のＩＰアドレス）と、第３設定画面（例えば、図２８に示す第２の機能としてのＥメール設定のメールサーバアドレス）と、第４設定画面（例えば、図２９に示す第２の機能としてのＥメール設定の差出人アドレス）とを表示する表示部（操作表示部３０２）と、表示部に第１設定画面が表示されているときに、第１設定情報（例えば、ＩＰアドレス設定）を設定するためのユーザ操作を受け付け、表示部に第２設定画面が表示されているときに、第２設定情報（例えば、ＩＰアドレス）を設定するためのユーザ操作を受け付け、表示部に第３設定画面が表示されているときに、第３設定情報（例えば、メールサーバアドレス）を設定するためのユーザ操作を受け付け、表示部に第４設定画面が表示されているときに、第４設定情報（例えば、差出人アドレス）を設定するためのユーザ操作を受け付ける入力部（操作表示部３０２）と、第１設定情報と、第２設定情報と、第３設定情報と、第４設定情報とを記憶する記憶部３０７と、入力部が第１設定情報を設定するためのユーザ操作を受け付けた後、第２設定画面を表示部に表示させ、入力部が第２設定情報を設定するためのユーザ操作を受け付けた後、第３設定画面を表示部に表示させ、入力部が第３設定情報を設定するためのユーザ操作を受け付けた後、第４設定画面を表示部に表示させる制御部３０４と、を備え、制御部３０４は、第１設定情報を設定するためのユーザ操作および第２設定情報を設定するためのユーザ操作の受け付けが完了した後、第１設定情報と第２設定情報とを記憶部３０７に記憶させ、第３設定情報を設定するためのユーザ操作および第４設定情報を設定するためのユーザ操作の受け付けが完了した後、第３設定情報と第４設定情報とを記憶部３０７に記憶させるようにしたことにより、利用者が行う設定情報の設定操作を容易にすることができる。
【００９６】
なお、本実施例では、設定情報の大項目を言語設定、日付／時刻、管理者パスワード、ファクス設定、ネットワーク設定、Ｅメール設定、テスト印刷として説明したが、これに限られるものでなく、これらに加え、ファイル送受信設定、クラウド送受信設定、ユーザ認証設定、カラー調整設定など、複合装置が備えるすべての設定情報とするようにしても良い。
また、本実施例では、情報処理装置の初回起動時の初期設定の例を説明したが、それに限られることなく、「初めて無線ＬＡＮを使う」、「初めてクラウドと連携する」、「初めて機能を拡張する」など、情報処理装置が備える機能における初めての設定としても良い。
【００９７】
以上説明したように、本実施例では、順次、設定情報入力画面を操作表示部３０２に表示して設定情報の入力操作を誘導し、それぞれの設定情報入力画面で設定情報の入力操作を受付け、その設定情報入力画面で設定情報の保存を指示する入力操作として「次」ボタンの押下を受付けた場合、それぞれの設定情報入力画面で受付けた設定情報を記憶部３０７の設定情報３０７１に保存するようにしたことにより、利用者が行う設定情報の設定操作を容易にすることができるという効果が得られる。
【００９８】
なお、本実施例では、情報処理装置を複合装置として説明したが、それに限られることなく、コンピュータ、プリンタ、ファクシミリ装置など、設定情報を有する装置としても良い。
情報処理装置を複合装置と接続されたコンピュータとした場合、コンピュータの表示部に、図１０〜図３７に示す画面と同様の画面を表示し、コンピュータの操作部で入力を受付けた設定情報を複合装置の記憶部に記憶させるようにしても良い。
【符号の説明】
【００９９】
１    情報処理システム
１０１  ファクシミリ装置
２０１  ＤＨＣＰサーバ
２０２  メールサーバ
３０１  複合装置
３０２  操作表示部
３０３  読取部
３０４  制御部
３０５  印刷部
３０６  送受信部
３０７  記憶部
３０８  ファクス送受信部
【図１】
0006533063.tif 000002
【図２】
0006533063.tif 000003
【図３】
0006533063.tif 000004
【図４】
0006533063.tif 000005
【図５】
0006533063.tif 000006
【図６】
0006533063.tif 000007
【図７】
0006533063.tif 000008
【図８】
0006533063.tif 000009
【図９】
0006533063.tif 000010
【図１０】
0006533063.tif 000011
【図１１】
0006533063.tif 000012
【図１２】
0006533063.tif 000013
【図１３】
0006533063.tif 000014
【図１４】
0006533063.tif 000015
【図１５】
0006533063.tif 000016
【図１６】
0006533063.tif 000017
【図１７】
0006533063.tif 000018
【図１８】
0006533063.tif 000019
【図１９】
0006533063.tif 000020
【図２０】
0006533063.tif 000021
【図２１】
0006533063.tif 000022
【図２２】
0006533063.tif 000023
【図２３】
0006533063.tif 000024
【図２４】
0006533063.tif 000025
【図２５】
0006533063.tif 000026
【図２６】
0006533063.tif 000027
【図２７】
0006533063.tif 000028
【図２８】
0006533063.tif 000029
【図２９】
0006533063.tif 000030
【図３０】
0006533063.tif 000031
【図３１】
0006533063.tif 000032
【図３２】
0006533063.tif 000033
【図３３】
0006533063.tif 000034
【図３４】
0006533063.tif 000035
【図３５】
0006533063.tif 000036
【図３６】
0006533063.tif 000037
【図３７】
0006533063.tif 000038